(57)【要約】【課題】ファンが破損したような場合であっても、破損したファンの破片によるケースの破壊を確実に防ぐことができる電動ブロワを提供すること。【解決手段】吸引口と吐出口を有するケース２内に、電動機と該電動機の出力軸に取り付けられたファン８を収納し、前記ファン８の回転によって前記吸引口からケース２内に吸引された空気（流体）をケース２内のファン８の周囲に形成された流路１１を経て前記吐出口からケース２外へと排出する電動ブロワにおいて、前記ケース２内に前記流路１１の周縁に沿う内壁２ａを形成し、該内壁２ａとケース外殻壁２ｂとの間に空間Ｓを形成することによって、ケース２の前記ファン８の周囲を二重壁構造とする。【選択図】図３
2007332889.tif 000002
【特許請求の範囲】
【請求項１】
吸引口と吐出口を有するケース内に、電動機と該電動機の出力軸に取り付けられたファンを収納し、前記ファンの回転によって前記吸引口からケース内に吸引された流体をケース内のファンの周囲に形成された流路を経て前記吐出口からケース外へと排出する電動ブロワにおいて、
前記ケース内に前記流路の周縁に沿う内壁を形成し、該内壁とケース外殻壁との間に空間を形成することによって、ケースの前記ファンの周囲を二重壁構造としたことを特徴とする電動ブロワ。
【請求項２】
前記ケースにおいて、前記ファンの回転中心から径方向外方には必ず二重壁が存在するよう構成したことを特徴とする請求項１記載の電動ブロワ。
【請求項３】
前記内壁とケース外殻壁との間に形成された空間に緩衝材を充填したことを特徴とする請求項１又は２記載の電動ブロワ。
【発明の詳細な説明】
【技術分野】
【０００１】
本発明は、ケース内に収納されたファンの回転によって流体を吸引口からケース内に吸引して吐出口からケース外へ排出する電動ブロワに関するものである。
【背景技術】
【０００２】
この種の電動ブロワの従来例を図５〜図８に示す。
【０００３】
即ち、図５は従来の電動ブロワの外観正面図、図６は同電動ブロワの破断平面図、図７は同電動ブロワの正断面図、図８は同電動ブロワの集塵用としての用途を示す外観正面図である。
【０００４】
図示の電動ブロワ１は、樹脂製の２分割タイプのケース２を備えており、図６に示すように、このケース２は、半割状のケース本体３に同じく半割状のケースカバー４を被せて接合することによって構成されている。そして、半割状のケース本体３には有底筒状の胴部３ａが一体に形成されており、この胴部３ａ内には電動機５が横置き状態で収納されている。又、ケース２内には、前記電動機５から横方向（図６の上方）に延びる出力軸６の端部にナット７で取り付けられたファン８が回転可能に収納されている。
【０００５】
又、図６に示すように、前記ケースカバー４には、円筒状の吸引口９が前記胴部３ａと同心的に一体に形成されている。更に、ケース本体３の前記胴部３ａにはハンドル部３ｂが軸直角方向に一体に形成されており、ハンドル部３ｂの端部からは、前記電動機５から延びる電源コード１０が導出しており、この電源コード１０の端部には不図示のプラグが取り付けられている。
【０００６】
ところで、図７に示すように、ケース２内の前記ファン８の周囲には流路１１が形成され、この流路１１には前記吸引口９が開口しており、流路１１の端部はケース２の吐出口１２として開口している。
【０００７】
而して、図５〜図７に示すように、ケース２の吐出口１２にノズル１３を取り付け、電源コード１０の端部に取り付けられた不図示のプラグを例えば１００Ｖ電源のコンセントに差し込み、ハンドル部３ｂに設けられた不図示のスイッチをＯＮ操作すれば、電動機５に給電されて該電動機５が駆動され、その出力軸６とこれの端部に取り付けられたファン８がケース２内で一体的に回転する。
【０００８】
上述のようにファン８がケース２内で回転すると、ケース２の吸引口９から空気がケース２内に吸引され、吸引された空気は、図７に矢印にて示すように、ファン８によって運動エネルギーを与えられながら流路１１を旋回し、吐出口１２からノズル１３を経て大気中に排出される。
【０００９】
又、図８に示すように、ケース２の吸引口９に集塵ホース１４を取り付けるとともに、吐出口１２に集塵バッグ１５を取り付け、前記と同様にファン８を回転駆動されれば、塵埃が空気と共に集塵ホース１４から吸引口９を経てケース２内に吸引され、ケース２内に吸引された塵埃は、空気と共にファン８によって運動エネルギーを与えられながら流路１１を旋回してファン８の外周に対して接線方向に流れ、この塵埃は吐出口１２から集塵バッグ１５に流入して回収され、空気のみが集塵バッグ１５を通過して大気中に排出される。
【００１０】
ところで、上記従来の電動ブロワ１においては、図７に示すように、ファン８との間に流路１１を形成するケース２の外郭壁２ｂが任意の厚さで一体に成型されている（例えば、特許文献１）。
【特許文献１】特開２００５−２２０７５１号公報
【発明の開示】
【発明が解決しようとする課題】
【００１１】
斯かる電動ブロワ１においては、その電源仕様が１００Ｖである場合に電源コード１０のプラグを誤って２００Ｖのコンセントに差し込んだような場合には、電動機５の回転数が瞬間的に異常に上昇し、該電動機５によって回転駆動されるファン８の回転数も同様に異常に上昇する。このようにファン８が定格以上の高速で回転すると、これに作用する大きな遠心力によって該ファン８が破損に至る事態が想定される。このようにファン８が破損した場合には、その破片がケース２の外郭壁２ｂに激しく衝突するため、ケース２の外郭壁２ｂも破損してしまう可能性がある。特に、ケース２を構成する樹脂の経年劣化等のためにケース２の強度が低下している場合には、破損したファン８の破片によってケース２の外郭壁２ｂが破壊される可能性が高くなる。
【００１２】
又、図８に示すようにケース２の吸引口９に集塵ホース１４を取り付け、吐出口１２に集塵バック１５を取り付けて集塵作業を行うと、集塵ホース１４からケース２内に吸引された塵埃や固形物がファン８に衝突し、該ファン８に損傷を与えて強度を低下させるため、ファン８が設計強度を確保できず、前述のようにファン８が瞬間的に異常な回転速度で回転したような場合には該ファン８が破損し、その破片がケース２の外郭壁２ｂを破壊してしまう可能性がある。
【００１３】
本発明は上記問題に鑑みてなされたもので、その目的とする処は、ファンが破損したような場合であっても、破損したファンの破片によるケースの破壊を確実に防ぐことができる電動ブロワを提供することにある。
【課題を解決するための手段】
【００１４】
上記目的を達成するため、請求項１記載の発明は、吸引口と吐出口を有するケース内に、電動機と該電動機の出力軸に取り付けられたファンを収納し、前記ファンの回転によって前記吸引口からケース内に吸引された流体をケース内のファンの周囲に形成された流路を経て前記吐出口からケース外へと排出する電動ブロワにおいて、前記ケース内に前記流路の周縁に沿う内壁を形成し、該内壁とケース外殻壁との間に空間を形成することによって、ケースの前記ファンの周囲を二重壁構造としたことを特徴とする。
【００１５】
請求項２記載の発明は、請求項１記載の発明において、前記ケースにおいて、前記ファンの回転中心から径方向外方には必ず二重壁が存在するよう構成したことを特徴とする。
【００１６】
請求項３記載の発明は、請求項１又は２記載の発明において、前記内壁とケース外殻壁との間に形成された空間に緩衝材を充填したことを特徴とする。
【発明の効果】
【００１７】
請求項１及び２記載の発明によれば、ファンが瞬間的に異常な高速回転したために破損したような場合であっても、破損したファンの破片は先ずケースの内壁に衝突してその運動エネルギーが減衰されるため、その外側の外郭壁に大きな衝撃力が加わることがなく、少なくとも外郭壁が破壊されるには至らず、ケースの破壊が確実に防がれる。
【００１８】
請求項３記載の発明によれば、ファンが破損してその破片がケースの内壁に衝突した場合の衝撃エネルギーが緩衝材によって効果的に吸収されるため、ケースの破壊がより一層確実に防がれる。
【発明を実施するための最良の形態】
【００１９】
以下に本発明の実施の形態を添付図面に基づいて説明する。
【００２０】
図１は本発明に係る電動ブロワの正断面図、図２は同電動ブロワのケースカバーの内面図、図３は図１のＡ−Ａ線拡大断面図であり、これらの図においては図５〜図８に示したものと同一要素には同一符号を付している。
【００２１】
本発明に係る電動ブロワの基本構成は図５〜図８に示した従来の電動ブロワのそれと同じであり、ケースの構成のみが異なるため、以下の説明では図５〜図８に付した符号を用いるとともに、従来と同じ要素についての再度の説明は省略する。
【００２２】
本実施の形態は、図３に示すように、ケース２内に流路１１の周縁に沿う厚さＴ１の内壁２ａを形成し、該内壁２ａと厚さＴ２のケース外殻壁２ｂとの間に高さＬ、幅Ｂの空間Ｓを形成することによって、ケース２のファン８の周囲を二重壁構造としたことを特徴とする。具体的には、図１に示すように、ケース２を構成する一方の半割状のケース本体３の外郭壁２ｂ−１の内側に内壁２ａ−１を流路１１の周縁に沿って一体に形成し、図２に示すように、ケース２を構成する他方の半割状のケースカバー４にも、その外郭壁２ｂ−２の内側に内壁２ａ−２を流路１１の周縁に沿って一体に形成している。そして、ケース本体３にケースカバー４を被せて両者を接合してケース２を組み立てると、図３に示すように、ケース２内には流路１１の周縁に沿う内壁２ａが形成され、該内壁２ａとケース外殻壁２ｂとの間に空間Ｓが形成され、ケース２内のファン８の周囲に、内壁２ａとケース外郭壁２ｂによって二重壁構造が構成される。
【００２３】
而して、本実施の形態では、ケース２において、ファン８の回転中心から径方向外方には内壁２ａとケース外郭壁２ｂの二重壁が必ず存在するよう構成されている。又、図３に示すように、ケース２の内壁２ａとケース外殻壁２ｂとの間に形成される空間Ｓの幅Ｂは、ファン８の幅ｂよりも大きく設定されている（Ｂ＞ｂ）。
【００２４】
而して、図１に示すように、ケース２の吐出口１２にノズル１３を取り付け、電源コード１０の端部に取り付けられた不図示のプラグを１００Ｖ電源のコンセントに差し込み、ハンドル部３ｂに設けられた不図示のスイッチをＯＮ操作すれば、電動機５に給電されて該電動機５が駆動され、その出力軸６とこれの端部に取り付けられたファン８がケース２内で一体的に回転する。
【００２５】
上述のようにファン８がケース２内で回転すると、ケース２の吸引口９から空気がケース２内に吸引され、吸引された空気は、図１に矢印にて示すように、ファン８によって運動エネルギーを与えられながら流路１１を旋回し、吐出口１２からノズル１３を経て大気中に排出される。
【００２６】
ところで、電源コード１０のプラグを誤って２００Ｖのコンセントに差し込んだような場合には、電動機５の回転数が瞬間的に異常に上昇し、該電動機５によって回転駆動されるファン８の回転数も同様に異常に上昇する。このようにファン８が定格以上の高速で回転すると、これに作用する大きな遠心力によって該ファン８が破損に至る事態が想定される。
【００２７】
万一、ファン８が破損した場合には、その破片が遠心力によってケース２の流路１１内で径方向外方に飛散するが、本実施の形態では、前述のようにケース２のファン８の周囲を内壁２ａとケース外郭壁２ｂとから成る二重壁構造としたため、破損したファン８の破片は、先ずケース２の内壁２ａに衝突してその運動エネルギーが減衰される。このため、ケース２の内壁２ａの外側に位置するケース外郭壁２ｂに大きな衝撃力が加わることがなく、少なくとも外郭壁２ｂが破壊されるには至らず、結果としてケース２の破壊が確実に防がれる。
【００２８】
尚、ファン８が異常な高速で回転したために破損した場合のみならず、ファン８を構成する樹脂の経年劣化による強度低下、ケース２内に吸引された塵埃や固形物の衝突等の原因によってファン８が破損した場合であっても、同様にケース２の破壊が確実に防がれる。
【００２９】
ところで、図４に示すように、ケース２の内壁２ａと外殻壁２ｂとの間に形成された空間Ｓにゴムやフェルト等の緩衝材１６を充填すれば、ファン８が破損してその破片がケース２の内壁２ａに衝突した場合の衝撃エネルギーが緩衝材１６によって効果的に吸収されるため、ケース２の破壊がより一層確実に防がれる。
【図面の簡単な説明】
【００３０】
【図１】本発明に係る電動ブロワの正断面図である。
【図２】本発明に係る電動ブロワのケースカバーの内面図である。
【図３】図１のＡ−Ａ線拡大断面図である。
【図４】本発明の別の実施形態を示す図３と同様の図である。
【図５】従来の電動ブロワの外観正面図である。
【図６】従来の電動ブロワの破断平面図である。
【図７】従来の電動ブロワの正断面図である。
【図８】従来の電動ブロワの集塵用としての用途を示す外観正面図である。
【符号の説明】
【００３１】
１        電動ブロワ
２        ケース
２ａ      内壁
２ａ−１  内壁
２ａ−２  内壁
２ｂ      ケース外郭壁
２ｂ−１  ケース外郭壁
２ｂ−２  ケース外郭壁
３        ケース本体
３ａ      胴部
３ｂ      ハンドル部
４        ケースカバー
５        電動機
６        出力軸
７        ナット
８        ファン
９        吸引口
１０      電源コード
１１      流路
１２      吐出口
１３      ノズル
１４      集塵ホース
１５      集塵バッグ
１６      緩衝材
【図１】
2007332889.tif 000003
【図２】
2007332889.tif 000004
【図３】
2007332889.tif 000005
【図４】
2007332889.tif 000006
【図５】
2007332889.tif 000007
【図６】
2007332889.tif 000008
【図７】
2007332889.tif 000009
【図８】
2007332889.tif 000010